(57)【特許請求の範囲】
【請求項１】
開離型スライドファスナー用の開離嵌挿具(2) であって、ストリンガ(4) の端部に固着された箱棒(8) と、箱棒(8) にスナップ嵌合して係着固定され、使用時には他方のストリンガ(20)の端部に固着された蝶棒(16)を収容する箱体(14)とを備えてなり、
前記箱体(14)は、
前後壁(26,28) と、
その前後壁(26,28) の中間部間に介在し、上下に係合面(32,34) を有する腹板手段(30)と、
前記前後壁(26,28) 及び前記腹板手段(30)により形成され、箱棒(8) を収容する第１通路(47)及び蝶棒(16)を収容する第２通路(43)とを備えてなり、
前記箱棒(8) は、前記腹板手段(30)と相対する側面上に該腹板手段(30)を囲む切欠部(50)を有し、
前記切欠部(50)は、その上下端部において内部腹板(30)の上記上下の係合面(32,34) に嵌着して係合し腹板手段(30)に対する箱棒(8) の軸方向の動きを規制する上下係着面(54,56) を有してなる、
ことを特徴とする開離型スライドファスナーの開離嵌挿具。
【発明の詳細な説明】
【０００１】
【発明の属する技術分野】
本発明はスライドファスナー、特に開離嵌挿具付きスライドファスナーの開離嵌挿具に関する。
【０００２】
【従来の技術】
開離型スライドファスナーは、完全に開離可能な２本のストリンガを備えている。一方のストリンガには永続的にスライダーが取り付けられ、底部に箱体が一体となった下止具を有している。箱体は使用者がファスナーを閉鎖するとき他方のストリンガの下止具を収容する。
【０００３】
一般的に２本のストリンガは袋物、衣服等の開閉物品の開口部の各側縁に沿って縫着される。箱体は比較的嵩張っており、縫着作業の邪魔をすることがある。これを避けるべく、ストリンガが前述の開閉物品の適当な位置に縫着された後に、ストリンガに固着された箱棒に箱体がスナップ嵌合により係着固定できる多様な設計の箱体がある。
【０００４】
スイス特許第６２６２４１号明細書では、箱棒上の鋸刃状の歯が箱体の前後壁に設けられた連係孔に係合する。そのような固定では、前記連係孔から前記歯が露呈し箱体の外観が損なわれる。
【０００５】
米国特許第４，１１２，５５３号明細書には、箱体の前後壁の内面に鋸刃状の歯を有している箱体が記載されている。下止具には歯が係合する溝が形成されており、その後の箱体の離脱を阻止する。かかる構成により、箱体の前後外面は平坦なすっきりした外観をもつことができる。
【０００６】
実開昭５５−９３３０８号公報は、箱棒下端部の形成体が箱体の底に設けられた貫通孔を通って突出し、両部材を互いに固定する構成を示している。
【０００７】
実公昭３７−１４３２９号公報は、舌部が箱体の側壁から内方へ延び下止具内の凹部と係合するという構成を示している。
【０００８】
【発明が解決しようとする課題】
このようなスナップ嵌合設計の課題は、使用者に見えないため箱体の視覚的なインパクトを損なうことがない固着具を提供すること、また他方の止具を箱体内に挿入するときに箱体に極めて強い横方向の力がかかることがあるため、箱棒に対する箱体の動きに抵抗する固着具を提供することにある。
【０００９】
特開平６−４６９０６号公報は、箱棒の下端の外側縁部に箱体の係合片と係合する係合部を有する固着具を示している。
【００１０】
実開平６−３８６２４号公報は、箱棒の下端が二股状の脚部を有している固着具を示している。脚部の下端における各外側の係合部は、箱体の各掛合部の下で掛合する。脚部は箱体に挿入されて互いに付勢される。これらの設計により上述の問題点のうち幾つかを改善するものであるが、それでも箱体内で箱棒が軸線方向に動いてしまう。
【００１１】
本発明の目的は、構成が簡単で、且つ前述のように箱体内で箱棒が軸線方向に動くことを完全に阻止できると共に、外観的にも他の部材が外表面に露呈することがなく、また不必要に前後の肉厚が大きくならない開離型スライドファスナーの開離嵌挿具を提供することにある。
【００１２】
【課題を解決するための手段及び作用効果】
本発明の第１の態様によれば、開離型スライドファスナー用の開離嵌挿具であって、ストリンガの端部に固着された箱棒と、箱棒にスナップ嵌合して係着固定され、使用時には他方のストリンガの端部に固着された蝶棒を収容する箱体とを備えてなり、前記箱体は、前後壁と、その前後壁の中間部間に介在し、上下に係合面を有する腹板手段と、前記前後壁及び前記腹板手段により形成され、箱棒を収容する第１通路及び蝶棒を収容する第２通路とを有し、前記箱棒は、前記腹板手段と係合して腹板手段に対する箱棒の軸方向の動きを規制する規制手段を有してなることを特徴とする開離型スライドファスナーの開離嵌挿具が提供される。
【００１３】
かかる構成により、箱棒がその規制手段により箱体の腹板手段との間で軸方向の動きが規制され、箱棒に外力が働いても確実に箱体内に固定できる。
【００１７】
更に具体的には、前記箱棒には腹板手段と係合する部位に同腹板手段を上下から囲む切欠部を有しており、この切欠部が上記規制手段となる。
【００２０】
更に、前記箱棒の前記腹板手段に対向する側面の上記切欠部の上下端部において同腹板手段の上下係合面に嵌着して係合し第１通路内での箱棒の軸方向の動きを防止する上下係着面が形成されている。箱棒が腹板手段の上下係合面に嵌着して係合したとき、腹板手段の上下係合面が箱棒の上下係着面に密着して係合するため、箱棒に箱体をしっかりと固定できる。
【００２２】
本発明の他の好適な構成及び効果は、以下の記載から明らかになるであろう。
【００２３】
【発明の実施形態】
本発明の代表的な実施の形態について添付図面を参照して更に詳しく説明する。なお、図示例は通常のスライドファスナーにおける開離嵌挿具の取り付け構造を示しているが、本発明は例えば隠しスライドファスナーにも適用できることは当然である。
【００２４】
図１は図２のＩＩ−ＩＩ線に沿って開離嵌挿具を示すスライドファスナーの下端の横断面図、図２は図１のＩＩＩ  −ＩＩＩ  線に沿った断面図である。これらの図は、開離型スライドファスナーの下止具２を示している。
【００２５】
開離嵌挿具付きのスライドファスナーは、テープ縁部に形成された玉縁部１２の周りにおいてテープ６の下端１０に固着された箱棒８をもつ第１ストリンガ４を備えてなる。箱体１４は、以下により詳細に記載するように箱棒８にスナップ嵌合により係合固着される。蝶棒１６は第２ストリンガ２０のテープ１８の下端２４において玉縁部２２の周りに固着されている。開離した第１及び第２のストリンガ４，２０のエレメントを噛合させてスライドファスナーを閉鎖するときに、蝶棒１６が離脱自在に箱体１４内を摺接しながら挿入される。
【００２６】
箱棒８及び蝶棒１６は熱可塑性合成樹脂材料から構成され、それぞれがテープ６，１８上にインサート成形される。箱体１４は熱可塑性合成樹脂材料から射出成形される。
【００２７】
ここまでに記載された構造は当該技術分野において公知である。本発明は、箱棒８と箱体１４との確実な固着が達成される箱棒８及び箱体１４の構造に関するものである。
【００２８】
箱体１４は前後壁２６，２８を有し、各前後壁２６，２８はその左右両端間の中間部において内部腹板３０により結合されている。この内部腹板３０は上下に係合面３２，３４を有している。
【００２９】
前後壁２６，２８は底部腹板３６，３８により、その下端においても結合されている。底部腹板３６，３８は上記内部腹板３０の成形を容易にするために左右に間隔をあけて配されている。
【００３０】
前後壁２６，２８の左右側縁部４６に沿い、相手方のフランジ４４に向けてそれぞれにフランジ４４が延設されており、これらのフランジ４４は前後壁２６，２８及び内部腹板３０と共に、箱棒８を収容するための第１通路４７を形成する。前後壁２６，２８から相手方に向けて延設されたフランジ４４の間には、テープ６がその間を通過できるようにそれぞれ間隔があけられている。前後壁２６，２８と前記フランジ４４との内隅部において、フランジ４４の上下にわたって溝４９が形成されている。その結果、フランジ４４には、第１通路４７の内部に向けて突出するリブ状の突出部４８がフランジ４４上に形成されたことになる。前記溝４９は第１通路４７の底部に向かって狭くなっており、従ってフランジ４４はこの底部領域において肉厚となり、第１通路４７の底部におけるフランジ４４の変形に対する抵抗力を備えるようになる。第１通路４７に面している腹板３０の側面３１はその下端に向かって外方へ漸次膨出されている。
【００３１】
一方、前後壁２６，２８の前記第１通路側とは反対側の側縁部４２上にもフランジ４０が同様に延設されており、同フランジ４０が前後壁２６，２８及び内部腹板３０と共に、蝶棒１６を収容する第２通路４３を形成する。この対向するフランジ４０の間にも、テープ１８がその間を通過できるような間隔があけられている。
【００３２】
図２に示すように、箱棒８は全体的に矩形断面を有している。図１に示すように、箱棒８の内部腹板３０と相対する側の内側面５２には切欠部５０が形成され、その上下端部において、内部腹板３０の上記上下係合面３２，３４に嵌着して係合する上下係着面５４，５６を構成する。
【００３３】
箱棒８の前記箱体１４のフランジ４４に相対する側の側面５８にあって、その下係着面５６の高さより低い領域では前記フランジ４４に向けて膨出する外方膨出部６０とされている。同膨出部６０は上記リブ状の突出部４８に圧接し、これにより切欠部５０が内部腹板３０としっかりと係合させるための付勢力を確保する。切欠部５０の内側面５８は係合面３２，５４の近傍の上部領域６４において内部腹板３０の側面３１に対向して密着する平坦面とされている。
【００３４】
箱棒８は前後壁２６，２８の間を密接して固定されるため前後壁２６，２８の間でのがたつきが防止される。前記箱棒８の膨出部６０と平坦面と相まって、箱棒８の前後左右へのがたつきがなく、しっかりとした固定ができる。
【００３５】
箱棒８の下端部６６は、その下端６８と内部腹板３０との間に、前記下端部６６を第１通路４７内へ挿入するときの容易性を確保するため、一点に向けて面取りがなされている。
【００３６】
スライドファスナーストリンガは、左右一組のテープ６，１８上に箱棒８及び蝶棒１６が設けられた状態で定法により製造され、衣服又は袋物製造者等へ箱体１４と共に供給される。製造者はストリンガを固定縫着し、次いで箱体１４を箱棒８に取り付ける。箱棒８の下端部６６は第１通路４７内に挿入される。この挿入時に、箱棒１４は切欠部５０が内部腹板３０の周りに係合するまで内部腹板３０と箱棒１４の膨出部６０との間における付勢によりフランジ４４を変形させる。
【図面の簡単な説明】
【図１】開離型スライドファスナーにおける本発明の代表的な実施例である開離嵌挿具図２のＩＩ−ＩＩ  線に沿った矢視図である。
【図２】図１のＩＩＩ−ＩＩＩ  線に沿った矢視図である。
【符号の説明】
２                  下止具（開離嵌挿具）
４                  第１ストリンガ
６，１８            テープ
８                  箱棒
１０                  テープ下端
１２                  玉縁部
１４                  箱体
１６                  蝶棒
２０                  第２ストリンガ
２６，２８            前後壁
３０                  内部腹板
３１                （内部腹板の）側面
３２，３４            上下の係合面
３６，３８            底部腹板
４０，４４            フランジ
４３                  第２通路
４７                  第１通路
４８                  突出部（リブ状）
４９                  溝
５０                  切欠部
５２                （箱棒の）内側面
５４，５６            上下係着面
５８                （箱棒の）外側面
５９                （箱棒の）内側面
６０                  外方膨出部
６４                  上部領域（平坦面）
６６                （箱棒の）下端部
６８                  下端
【図１】
0003617600.tif 000002
【図２】
0003617600.tif 000003